(57)【要約】【課題】  ガードプレートの固定用ボルトに上胴縁内での金網の移動阻止機能を持たせることによって、金網の移動阻止のための新たな手段を講じる必要がなく、この結果、フェンス構築費用の低減を図ることができる。【解決手段】  金網４の上端を固定する上胴縁２の上面に鋸歯状ガードプレート６が複数本のボルト８を介して固定され、ボルト８は、ガードプレート６および上胴縁２の上面を貫通し、金網４の上端は、上胴縁２内に入り込んでいる金網フェンスにおいて、ボルト８は、上胴縁２内に入り込んだ金網４の上端に接する長さを有している。【選択図】  図１
2005120744.tif 000002
【特許請求の範囲】
【請求項１】
上胴縁の上面に鋸歯状ガードプレートが複数本のボルトを介して固定され、前記ボルトは、前記ガードプレートおよび前記上胴縁の上面を貫通し、金網の上端は、前記上胴縁内に入り込んでいる金網フェンスにおいて、
前記ボルトは、前記上胴縁内に入り込んだ前記金網の上端に接する長さを有していることを特徴とする金網フェンス。
【請求項２】
前記金網は、菱形金網からなり、その上端は、金網面と直交する方向にリング状に折れ曲がっていることを特徴とする、請求項１記載の金網フェンス。
【請求項３】
前記ボルトの一方は、前記金網上端の一方側面に接し、前記ボルトの他方は、前記金網上端の他方側面に接することを特徴とする、請求項１または２記載の金網フェンス。
【発明の詳細な説明】
【技術分野】
【０００１】
この発明は、金網フェンス、特に、上胴縁の上面に侵入者を防ぐ鋸歯状ガードプレートが固定された金網フェンスにおいて、ガードプレートの固定用ボルトに上胴縁内での金網の移動阻止機能を持たせることにより、金網の移動阻止のための新たな手段を講じる必要がない金網フェンスに関するものである。
【背景技術】
【０００２】
従来の金網フェンスを、図面を参照しながら説明する。
【０００３】
図３は、従来の金網フェンスを示す部分正面図、図４は、上胴縁部分の拡大図、図５は、図４のＡ−Ａ線断面図である。
【０００４】
図３から図５において、１は、丸パイプからなる支柱、２は、支柱１の上部間に固定された、図５に示すように断面コ字状に成型された上胴縁、３は、支柱１の下部間に固定された下胴縁、４は、上胴縁２と下胴縁３との間に配された菱形金網であり、金網４の両端は、縦桟５を介して支柱１に固定されている。６は、上胴縁２の上面上に複数本のボルト７によって固定されたガードプレートである。
【０００５】
ボルト７は、ガードプレート６および上胴縁２の上面を貫通してねじ込まれているが、上胴縁２内の金網上端４Ａには接しない長さを有している。ガードプレート６は、鋼板製で鋸歯状に形成され、金網フェンスを乗り越える侵入者を防ぐ効果を有している。金網４の上端４Ａは、図５に示すように、金網面と直交する方向にリング状に折り曲げられていて、この上端４Ａが上胴縁２内に嵌め込まれている。金網４の上端４Ａは、上胴縁２の一端側から嵌め込まれる。上端４Ａの外径（Ｌ１）は、上胴縁２の開口幅（Ｌ２）より大きく形成されているので、上胴縁２内に嵌め込まれた金網４に下方向の引っ張り力が作用しても、金網４は、上胴縁２から抜け出ることはない。
【発明の開示】
【発明が解決しようとする課題】
【０００６】
金網４の左右端は、縦桟５を介して支柱１に固定されているが、金網４の上端４Ａは、上胴縁２内に挿入されているのみであるので、金網上端４Ａは、上胴縁２の長手方向に対して自由に移動可能である。
【０００７】
このために、例えば、金網４の特に上部分に押圧力が作用した場合には、金網上端４Ａが上胴縁２に沿って移動する。そして、この押圧力が大きな場合には、元の位置に復帰せず、金網４が変形してしまいフェンスの外見が著しく損なわれる恐れがあった。
【０００８】
そこで、この問題を解決するには、金網上端４Ａが上胴縁２内で移動しないように、上端４Ａの移動を阻止する手段を講じることが考えられる。例えば、新たにボルトを上胴縁２内にねじ込み、このボルトを上端４Ａに接触させれば、金網上端４Ａの上胴縁２内での移動を阻止することができる。
【０００９】
しかしながら、この手段は、新たなボルトを使用するための孔あけ作業、ボルト締め工程等が増える結果、フェンス構築費用の増加につながる。
【００１０】
従って、この発明の目的は、ガードプレートの固定用ボルトに上胴縁内での金網の移動阻止機能を持たせることによって、金網の移動阻止のための新たな手段を講じる必要がなく、この結果、フェンス構築費用の低減を図ることができる金網フェンスを提供することにある。
【課題を解決するための手段】
【００１１】
この発明は、上記目的を達成するためになされたものであって、下記を特徴とするものである。
【００１２】
請求項１記載の発明は、上胴縁の上面に鋸歯状ガードプレートが複数本のボルトを介して固定され、前記ボルトは、前記ガードプレートおよび前記上胴縁の上面を貫通し、金網の上端は、前記上胴縁内に入り込んでいる金網フェンスにおいて、前記ボルトは、前記上胴縁内に入り込んだ前記金網の上端に接する長さを有していることに特徴を有するものである。
【００１３】
請求項２記載の発明は、請求項１記載の発明において、金網は、菱形金網からなり、その上端は、金網面と直交する方向にリング状に折れ曲がっていることに特徴を有するものである。
【００１４】
請求項３記載の発明は、請求項１または２記載の発明において、ボルトの一方は、金網上端の一方側面に接し、ボルトの他方は、金網上端の他方側面に接することに特徴を有するものである。
【発明の効果】
【００１５】
この発明によれば、ガードプレートの固定用ボルトに上胴縁内での金網の移動阻止機能を持たせることによって、金網の移動阻止のための新たな手段を講じる必要がなく、この結果、フェンス構築費用の低減を図ることができる。
【発明を実施するための最良の形態】
【００１６】
この発明の一実施態様を、図面を参照しながら説明する。
【００１７】
図１は、この発明の金網フェンスを示す部分正面図、図２は、図１のＡ−Ａ線断面図である。
【００１８】
図１および図２において、図３から図５と同一番号は、同一物である。すなわち、２は、断面コ字状に成型された上胴縁、４は、金網上端４Ａが金網面と直交する方向にリング状に折り曲げられた菱形金網、６は、侵入者防止用の鋼板製の鋸歯状ガードプレートである。ガードプレート６は、複数本のボルト８によって上胴縁２の上面上に固定されている。
【００１９】
ボルト８は、ガードプレート６および上胴縁２の上面を貫通してねじ込まれ、上胴縁２内の金網上端４Ａと接する長さを有している。従って、金網上端４Ａに上胴縁２の長手方向の移動力が作用しても、金網上端４Ａがボルト８の足部に当たるので、金網上端４Ａの移動が阻止される。
【００２０】
図１に示すように、一部のボルト８（図中、左側）が金網上端４Ａの一方側面（図中、左側面）に接し、他のボルト８（図中、右側）が金網上端４Ａの他方側面（図中、右側面）に接するようにすれば、金網上端４Ａの左右何れの方向の移動も阻止することができる。
【００２１】
このように、ボルト８は、ガードプレート６を上胴縁２に固定する本来の機能の他、金網上端４Ａの移動を阻止する機能を有するので、金網上端４Ａの移動を阻止するための他の手段、例えば、新たなボルトを使用する必要がないので、新たなボルトのための孔あけ作業、ボルト締めの工程等が一切不要となる。この結果、フェンス構築費用の低減を図ることができる。
【図面の簡単な説明】
【００２２】
【図１】この発明の金網フェンスを示す部分正面図である。
【図２】図１のＡ−Ａ線断面図である。
【図３】従来の金網フェンスを示す部分正面図である。
【図４】上胴縁部分の拡大図である。
【図５】図４のＡ−Ａ線断面図である。
【符号の説明】
【００２３】
１：支柱
２：上胴縁
３：下胴縁
４：金網
４Ａ：金網の上端
５：縦桟
６：ガードプレート
７：ボルト
８：ボルト
【図１】
2005120744.tif 000003
【図２】
2005120744.tif 000004
【図３】
2005120744.tif 000005
【図４】
2005120744.tif 000006
【図５】
2005120744.tif 000007